(57)【特許請求の範囲】
【請求項１】
相互に平行になった一対の脚部を有する断面コ字状に形成されて一方の脚部の外側面に緩衝材が設けられた戸当たりと、各脚部がそれぞれ挿入される一対の溝部を有する開口枠との取付構造であって、
開口枠に設けられた一対の溝部内に挿入されるように相互に平行になった一対の係合片を有する断面コ字状をした戸当たり固定具が、開口枠に設けられた一対の溝部内に各係合片をそれぞれ挿入した状態で開口枠に取り付けられており、各溝部内に挿入される戸当たりの各脚部が、各溝部内にそれぞれ挿入された係合片にそれぞれ係合していることを特徴とする戸当たりの取付構造。
【請求項２】
相互に平行になった一対の脚部を有する断面コ字状に形成されて一方の脚部の外側面に緩衝材が設けられた戸当たりを、各脚部がそれぞれ挿入される一対の溝部を有する開口枠に取り付ける際に使用される戸当たり固定具であって、
本体部の左右各側部が同方向に折り曲げられて、相互に平行になった一対の係合片を有する断面コ字状に形成されるとともに、本体部にボルトの貫通孔が形成されてなり、貫通孔に挿通されたボルトが一対の溝部間にネジ込まれることによって、各溝部内に各係合片がそれぞれ挿入された状態で開口枠に取り付けられるようになされるとともに、この状態で係合片は、各溝部内に挿入される戸当たりの各脚部にそれぞれ係合するようになされたことを特徴とする戸当たり固定具。
【発明の詳細な説明】
【０００１】
【発明の属する技術分野】
本発明は、出入り口に設けられた開口枠に対する戸当たりの取付構造およびその取付構造に使用される戸当たり固定具に関する。
【０００２】
【従来の技術】
建物の間仕切り壁等に設けられる出入り口は、通常、周囲に開口枠が設けられて、開き戸によって開閉されるようになっている。開口枠は、木製の一対の縦枠と、各縦枠の上端部間にわたって配置された木製の上枠とによって構成されている。また、開き戸は、開口枠を構成する一方の縦枠に、垂直軸回りに回動するように取り付けられている。開口枠における他方の縦枠および上枠には、開き戸の側一方の側縁部および上縁部がそれぞれ突き当てられる戸当たりが、縦枠および上枠に沿ってそれぞれ取り付けられている。
【０００３】
戸当たりが取り付けられる縦枠および上枠には、開口部内に面した側面に、縦枠および上枠の長手方向に沿った一対の溝部が、水平方向に一定の間隔をあけてそれぞれ設けられている。また、戸当たりは、合成樹脂によって、一対の脚部を有する断面コ字状に構成されており、縦枠および上枠にそれぞれ設けられた一対の溝部内に各脚部がそれぞれ挿入されるようになっている。各戸当たりには、開き戸が突き当てられる側面に緩衝材がそれぞれ取り付けられている。
【０００４】
戸当たりを縦枠および上枠に取り付ける場合には、縦枠および上枠に形成された各溝部内に接着剤をそれぞれ塗布して、各溝部内に挿入された戸当たりの各脚部が接着剤によって、縦枠および上枠に対して固定されている。
【０００５】
【発明が解決しようとする課題】
このように、戸当たりを縦枠および上枠に取り付ける際には、縦枠および上枠の各溝部内に接着剤が塗布されているために、戸当たりの各脚部を、各溝部内に確実に挿入することが容易でないという問題がある。また、縦枠および上枠は木製であるのに対して、戸当たりは合成樹脂によって構成されているために、接着剤によっては、両者を確実に固定することができないおそれもある。
【０００６】
本発明は、このような問題を解決するものであり、その目的は、開口枠に対して戸当たりを確実に取り付けることができる戸当たりの取付構造、およびその戸当たりの取付構造に使用される戸当たり固定具を提供することにある。
【０００７】
【課題を解決するための手段】
本発明の戸当たりの取付構造は、相互に平行になった一対の脚部を有する断面コ字状に形成されて一方の脚部の外側面に緩衝材が設けられた戸当たりと、各脚部がそれぞれ挿入される一対の溝部を有する開口枠との取付構造であって、
開口枠に設けられた一対の溝部内に挿入されるように相互に平行になった一対の係合片を有する断面コ字状をした戸当たり固定具が、開口枠に設けられた一対の溝部内に各係合片をそれぞれ挿入した状態で開口枠に取り付けられており、各溝部内に挿入される戸当たりの各脚部が、各溝部内にそれぞれ挿入された係合片にそれぞれ係合していることを特徴とする。
【０００８】
また、本発明の戸当たり固定具は、相互に平行になった一対の脚部を有する断面コ字状に形成されて一方の脚部の外側面に緩衝材が設けられた戸当たりを、各脚部がそれぞれ挿入される一対の溝部を有する開口枠に取り付ける際に使用される戸当たり固定具であって、本体部の左右各側部が同方向に折り曲げられて、相互に平行になった一対の係合片を有する断面コ字状に形成されるとともに、本体部にボルトの貫通孔が形成されてなり、貫通孔に挿通されたボルトが一対の溝部間にネジ込まれることによって、各溝部内に各係合片がそれぞれ挿入された状態で開口枠に取り付けられるようになされるとともに、この状態で係合片は、各溝部内に挿入される戸当たりの各脚部にそれぞれ係合するようになされたことを特徴とする。
【０００９】
【発明の実施の形態】
以下、本発明の実施の形態を、図面に基づいて詳細に説明する。
【００１０】
図１は、本発明の戸当たり取付構造の実施の形態の一例を、一部を破断して示す斜視図である。本発明の戸当たり取付構造では、間仕切り壁に設けられた出入り口３１の開口枠である上枠３２および一方の縦枠３３に対して、戸当たり２０がそれぞれ取り付けられている。
【００１１】
出入り口３１の開口枠は、一対の縦枠３３および３４と、各縦枠３３の上端部間にわたって水平に配置された上枠３２によって構成されている。戸当たり２０が設けられていない他方の縦枠３４には、開き戸３５の一方の側縁部が垂直軸回りに回動し得るように取り付けられており、開き戸４０の他方の側縁部および上縁部が、他方の縦枠３３に取り付けられた戸当たり２０および上枠３２に取り付けられた戸当たり２０に、それぞれ突き当てられるようになっている。
【００１２】
図２は、縦枠３３と戸当たり２０との取付構造を示す平断面図である。戸当たり２０が取り付けられる縦枠３３には、それぞれが上下方向に沿って延びる一対の溝部３３ａが、水平方向に適当な間隔をあけて設けられており、図１に示すように、縦枠３３の下部および上下方向の中央上部寄りの位置には、両溝部３３ａによって、断面コ字状をした戸当たり固定具１０がそれぞれ取り付けられている。そして、断面コ字状をした戸当たり２０が、各溝部３３ａを利用して縦枠３３に取り付けられて、各戸当たり固定具１０によって固定されている。
【００１３】
図２に示すように、直線状に延びる戸当たり２０は、合成樹脂によって、断面コ字状に成形されており、相互に平行になった一対の脚部２１と、各脚部２１の一方の側縁部同士を連結する連結部２２とを有している。
【００１４】
各脚部２１における連結部２２の遠方側の側縁部は、縦枠３３に設けられた一対の溝部３３ａ内にそれぞれ挿入されるようになっており、各脚部２１の連結部２２側の側部は、縦枠３３から突出した状態になる。各脚部２１における溝部３３ａ内に挿入される側部の各表面には、各溝部３３ａから抜け止めされるように、鋸歯状の凹凸がそれぞれ形成されている。
【００１５】
一方の脚部２１における縦枠３３から突出した連結部２２側の側部は、他方の脚部２１よりも若干厚肉になっており、その厚肉部分に、上下方向の全体にわたって、緩衝材２３が取り付けられる係合溝部２１ａが設けられている。緩衝材２３は、弾性を有するゴム、合成樹脂等によって構成されており、係合溝部２１ａの全体にわたって一部が嵌入されており、係合溝部２１ａに嵌入された部分以外の部分が、脚部２１の側面から突出した状態になっている。
【００１６】
このような構成の戸当たり２０を縦枠３３に固定する戸当たり固定具１０は、図３に示すように、平板状の鋼材を、左右の各側部を除いたほぼ正方形状の本体部１２に対して左右の各側部を同方向に折り曲げることによって各係合片１１がそれぞれ形成された断面コ字状に構成されている。本体部１２の中央部には、貫通孔１２ａが形成されている。各係合片１１は、相互に平行になっており、その間隔は、縦枠３３に設けられた各溝部３３ａの間隔にほぼ等しくなっている。
【００１７】
各係合片１１における本体部１２に近接した側縁部は、本体部１２に対してほぼ９０°にそれぞれ屈曲されており、また、各係合片１１における本体部１２の遠方側の側部は、本体部１２の遠方側になるにつれて順次外側に傾斜した状態になっている。各係合片１１における本体部１２の遠方側の傾斜した側部は、３つの三角形状の切り欠き部１１ｂが上下方向に連続して形成されており、中央部には、三角形状に突出する一対の突出部１１ａが上下方向に連続して設けられている。
【００１８】
このような構成の戸当たり固定具１０は、戸当たり２０が設けられる縦枠３３の下部と、上下方向中央における上部寄りの位置とに、それぞれ取り付けられる。各戸当たり固定具１０は、それぞれの各係合片１１を、縦枠３３に設けられた溝部３３ａ内に挿入した状態で、本体部１２の中央部に設けられた貫通孔１２ａにボルト３６を挿通して縦枠３３内にネジ込むことによって、縦枠３３にそれぞれ取り付けられている。戸当たり固定具１０における各係合片１１の先端部分は、三角形の突出部１１ａと切り欠き部１１ｂとが連続して設けられているために、各溝部３３ａ内に挿入する際の抵抗が小さく、各係合片１１を各溝部３３ａ内に容易に挿入される。各戸当たり固定具１０のそれぞれの係合片１１は、縦枠３３に設けられた各溝部３３ａに挿入されると、各溝部３３ａにおけるそれぞれの相互に近接した各側面に圧接された状態になっている。
【００１９】
縦枠３３に各戸当たり固定具１０がそれぞれ取り付けられた状態になると、戸当たり２０の各係合片２１が、縦枠３３の各溝部３３ａ内にそれぞれ挿入される。各溝部３３ａ内には、戸当たり固定具１０の各係合片１１がそれぞれ挿入された状態になっているために、戸当たり２０の各係合片２１が溝部３３ａ内に挿入されると、各係合片２１は、戸当たり固定具１０の各係合片１１における相互に相反する方向に広がった先端部を、相互に接近する方向に押圧して、溝部３３ａの内奥部にまで進入する。そして、戸当たり２０の各脚部２１が、各溝部３３ａの内奥面に突き当てられる。このような状態になると、戸当たり固定具１０における各係合片１１の先端部の傾斜部分が、弾性力によって戸当たり２０の各脚部２１に圧接され、各脚部２１の表面に設けられた鋸歯状の凹凸に、戸当たり固定具１０の各係合片１１の先端部における各突出部１１ａがそれぞれ係合された状態になり、戸当たり２０の各脚部２１は、各溝部３３ａから抜け止めされた状態で、縦枠３３に取り付けられる。
【００２０】
戸当たり２０の脚部２１に係合される各係合片１１の突出部１１ａは三角形状に突出した状態になっているために、戸当たり２０の各脚部２１に確実に係合されて、各脚部２１がそれぞれ各溝部３３ａから抜け出ることを確実に防止している。
【００２１】
このように、戸当たり２０の各脚部２１を縦枠３３の各溝部３３ａ内にそれぞれ挿入するだけで、戸当たり２０の各脚部２１は、各溝部３３ａから抜け止めされた状態に固定される。
【００２２】
出入り口３１における上枠３２の下面にも、上枠３２の長手方向に沿った一対の溝部が水平方向に一定の間隔をあけて設けられており、上枠３２の左右の各側部に、一対の溝部を利用して、戸当たり固定具１０がそれぞれ取り付けられて、戸当たり２０の各脚部２１を各溝部内に挿入することによって、戸当たり２０が上枠３２に抜け止めされた状態で取り付けられている。
【００２３】
なお、戸当たり固定具１０としては、各係合片１１が、戸当たり２０の各脚部２１に係合される構成であればよく、例えば、図４に示すように、各係合片１１の先端部に、戸当たり２０の各脚部２１に係合される係合部１１ｃを外側に向かって突出するように形成してもよい。また、図５に示すように、各係合片１１を外側に膨出するように円弧状に湾曲させて、係合片１１の弾性力によって戸当たり２０の各脚部２１に係合させるようにしてもよい。さらには、図６に示すように、各係合片１１に外側に突出する多数の突起１１ｄを設けて、各突起１１ｄによって戸当たり２０の各脚部２１に係合させるようにしてもよい。
【００２４】
【発明の効果】
本発明の戸当たりの取付構造は、このように、戸当たり固定具によって、開口枠に対して戸当たりが強固に固定された状態に取り付けられる。また、本発明の戸当たり固定具は、開口枠に設けられた溝部内に挿入される戸当たりの脚部を確実に抜け止めすることができる。
【図面の簡単な説明】
【図１】本発明の戸当たり取付構造の実施の形態の一例を、一部を破断して示す斜視図である。
【図２】その取付構造の平断面図である。
【図３】本発明の戸当たり固定具の実施の形態の一例を示す斜視図である。
【図４】本発明の戸当たり固定具の実施の形態の他の例を示す斜視図である。
【図５】本発明の戸当たり固定具の実施の形態の他の例を示す斜視図である。
【図６】本発明の戸当たり固定具の実施の形態の他の例を示す斜視図である。
【符号の説明】
１０    戸当たり固定具
１１    係合片
１１ａ  突出部
１１ｂ  切り欠き部
１２    本体部
１２ａ  貫通孔
２０    戸当たり
２１  脚部
２２    連結部
２３  緩衝材
３１  開口部
３２  上枠
３３  縦枠
３３ａ  溝部
３４  縦枠
３５  開き戸
【図１】
0003609267.tif 000002
【図２】
0003609267.tif 000003
【図３】
0003609267.tif 000004
【図４】
0003609267.tif 000005
【図５】
0003609267.tif 000006
【図６】
0003609267.tif 000007